(57)【要約】【課題】光源から照射される照射光を被写体に無駄なく照射することにより消費電力を抑えつつ、ブレおよびノイズが少ない無影の静止画を提供する。【解決手段】内径がレンズ保持部１０６の外径以上であってレンズ系の光軸を中心とする環状の照射面２２６が形成され、照射光を照射する光源２２２を収容する照射部２２０と、照射面２２６の外周に環状に配設された反射板可動部２３０と、それぞれの端部が反射板可動部２３０に支持され、端部を支点として内側に可動し、反射面が内側を向くよう環状に配設された複数の反射板２４０とを備えることにより、光源２２２から照射される照射光を、反射板２４０を使って被写体に無駄なく照射し、消費電力を抑えつつブレおよびノイズが少ない無影の静止画を提供できるようにしている。【選択図】        図１
2008268546.tif 000002
【特許請求の範囲】
【請求項１】
被写体の静止画を撮像するマイクロスコープであって、
レンズ系を保持する円筒状のレンズ保持部と、
上記レンズ保持部の下端側の外周部と連結する環状の連結部が上部に形成されるとともに、内径が上記レンズ保持部の外径以上であって上記レンズ系の光軸を中心とする環状の照射面が下面に形成され、上記照射面の内側に光源を収容する照射部と、
上記照射部の外周に設けられた反射板可動部と、
それぞれの端部が上記反射板可動部に支持され、それぞれの反射面が内側を向くよう環状に配設された複数の反射板とを備え、
上記反射板は、上記端部を支点として上記内側に可動するように構成したことを特徴とするマイクロスコープ。
【請求項２】
上記複数の反射板の外側に、円筒状の補強部を更に備えることを特徴とする請求項１に記載のマイクロスコープ。
【請求項３】
上記照射面から上記被写体までの照射距離を検出する距離検出部と、
上記距離検出部から検出された照射距離が長いほど、上記複数の反射板をより上記内側に駆動させる反射板制御部とを更に備えることを特徴とする請求項１または２に記載のマイクロスコープ。
【請求項４】
マイクロスコープが備えるレンズ系を保持する円筒状のレンズ保持部の下端側の外周部と着脱可能に連結する環状の連結部と、
内径が上記レンズ保持部の外径以上である環状の照射面と、
上記照射面の内側に収容された光源と、
上記連結部、上記照射面および上記光源を備えて成る照射部の外周に設けられた反射板可動部と、
それぞれの端部が上記反射板可動部に支持され、それぞれの反射面が内側を向くよう環状に配設された複数の反射板とを備え、
上記反射板は、上記端部を支点として上記内側に可動するように構成したことを特徴とするマイクロスコープ用照射装置。
【請求項５】
上記複数の反射板の外側に、円筒状の補強部を更に備えることを特徴とする請求項４に記載のマイクロスコープ用照射装置。
【請求項６】
上記マイクロスコープにより検出される上記照射面から上記被写体までの照射距離が長いほど、上記複数の反射板をより上記内側に駆動させる反射板制御部とを更に備えることを特徴とする請求項４または５に記載のマイクロスコープ用照射装置。
【請求項７】
上記照射面から上記被写体までの照射距離を検出する距離検出部と、
上記距離検出部から検出された照射距離が長いほど、上記複数の反射板をより上記内側に駆動させる反射板制御部とを更に備えることを特徴とする請求項４または５に記載のマイクロスコープ用照射装置。
【発明の詳細な説明】
【技術分野】
【０００１】
本発明は、マイクロスコープおよびマイクロスコープ用照射装置に関し、特に、医療用のマイクロスコープおよびマイクロスコープ用照射装置として用いて好適なものである。
【背景技術】
【０００２】
現在、マイクロスコープ（実態顕微鏡）は、医療分野に欠かすことのできない用具の一つである。例えば、マイクロスコープで撮像した動画により患部を確認してなされる術式がある。また、患者への説明用、教育用、学会への報告用の資料などとしてマイクロスコープで撮像した静止画も広く用いられている。
【０００３】
動画撮像時は、光量不足を補うため白色ＬＥＤなどの低輝度の光源を用いる。しかし、静止画撮像時に、動画撮像用の低輝度の光源を利用すると、光量不足が生じる。特に、口腔内などの患部の静止画を撮像するときは、患部に外光が届き難いため光量不足が顕著となる。このため、静止画撮像時は、光量不足を補うためシャッター速度を遅くするか感度を上げなければならない。しかし、前者ではブレが生じ易く後者ではノイズが多くなるという課題がある。したがって、静止画撮像時には、動画撮像用の低輝度の光源と異なる高輝度の光源を利用することが好ましく、そのようなマイクロスコープが提案されている（例えば、特許文献１参照）。
【０００４】
特許文献１に記載のマイクロスコープは、静止画の撮像用の光源を筐体に内蔵する。その光源から照射された照射光は、ハーフミラーなどを介して実質的な照射面である対物レンズから被写体に照射される。従って、この照射光は、被写体に照射されるまでに、ハーフミラーによる反射、対物レンズの透過、および、長い光路（光源からハーフミラーおよび対物レンズを経て被写体に至る光路）により減衰するという問題がある。
【０００５】
さらに、特許文献１に記載のマイクロスコープなどでは、実質的な照射面である対物レンズと被写体との距離が長くなった場合、一般的に、光源からの照射光の出力を増加させて被写体に照射される光量を増加させることとなる。従って、光源が消費する電力は、上記距離が長ければ長いほど、多くなるという問題がある。
【特許文献１】特開２０００−２３０２６号公報
【発明の開示】
【発明が解決しようとする課題】
【０００６】
本発明は、このような問題を解決するために成されたものであり、光源から照射される照射光を被写体に無駄なく照射することにより消費電力を抑えつつ、ブレおよびノイズが少ない静止画を提供することを目的とする。
【課題を解決するための手段】
【０００７】
上記した課題を解決するために、本発明では、レンズ系よりも被写体側に、環状の照射面および光源を備えるとともに、内側に動く複数の反射板を照射面の外側に環状に備える。
【発明の効果】
【０００８】
上記のように構成した本発明によれば、従来に比べて被写体に対してより近い位置から照射光を照射できる。また、例えば、被写体との距離が長い場合に、光源の出力を増加させることなく、反射板の角度を内側にずらし、被写体に照射される反射光の光量を増やすことができる。したがって、光源から照射された照射光を無駄なく被写体に照射することで消費電力を抑えつつ、説明用、保存用、教育用、学会への報告用の資料などとして好適である、ブレおよびノイズが少ない静止画を提供することができる。
【発明を実施するための最良の形態】
【０００９】
以下、本発明の一実施形態を図面に基づいて説明する。図１は、本実施形態によるマイクロスコープ１０の概観の例を示す模式図である。図１に示すように、本実施形態のマイクロスコープ１０（本発明のマイクロスコープに相当）は、スタンド１４が有するアーム１６により支持され、アーム１６を動かすことによって、被写体を撮像する距離を自由に変えることができる。マイクロスコープ１０は、第１筐体１００および第２筐体２００から構成されている。なお、第２筐体２００は、第１筐体１００から着脱自在な別体（本発明のマイクロスコープ用照射装置に相当）であってもよい。
【００１０】
第１筐体１００は筒形であって、シャッタボタン１０２、接眼モニタ１０４、円筒状のレンズ保持部１０６を備えている。シャッタボタン１０２は、静止画を撮像するタイミングをユーザから受け付ける。レンズ保持部１０６はレンズ系を含む撮像光学系を内部に保持する。撮像光学系は、レンズ系の他にシャッタやアイリスなどを含んでいる。第２筐体２００は円筒形であって、円筒状の補強部２１０、環状の照射部２２０（図１において破線表示）、環状に複数配設された反射板可動部（図１において非図示）、環状に複数配設された反射板２４０（図１において破線表示）を備える。
【００１１】
図２は、本実施形態によるマイクロスコープ１０の構成の一例を示す側方断面図である。図３は、図２に示す反射板可動部２３０等の下方斜視図である。図４は、図２に示す反射板可動部２３０等を上方から見た断面図である。第１筐体１００は、シャッタボタン１０２、接眼モニタ１０４、レンズ保持部１０６、撮像ユニット１０８、静止画撮像信号出力部１１０、メモリ１１２、距離検出部１２０および反射板制御部１２２を備えている。第２筐体２００は、補強部２１０、照射部２２０、反射板可動部２３０および反射板２４０を備えている。
【００１２】
第１筐体１００の撮像ユニット１０８は、撮像素子を備え、レンズ系により撮像素子上に結像された被写体の画像を電気信号に変換する。撮像ユニット１０８から出力された画像の電気信号は、図示しないＡＤ変換部によりデジタル信号に変換され接眼モニタ１０４に供給される。
【００１３】
第２筐体２００の照射部２２０は、レンズ保持部１０６の下端側の外周部と連結する環状の連結部２２４が上部に形成されるとともに、内径がレンズ保持部１０６の外径と略同一であってレンズ系の光軸を中心とする環状の照射面２２６が下面に形成されている。また、照射部２２０は、静止画撮像用の高輝度の光源２２２を照射面２２６の内側に複数収容している。光源２２２のそれぞれは、静止画の撮像を指示する信号（以下、「静止画撮像信号」という。）に同期して照射光を照射する。なお、照射面２２６の内径は、レンズ保持部１０６の外径よりも大きくてもよい。環状の照射面２２６からの照射光は被写体を様々な角度から照射するので、マイクロスコープ１０は被写体を無影で撮影することが可能となる。
【００１４】
第１筐体１００の静止画撮像信号出力部１１０は、シャッタボタン１０２が押下されたときに、静止画撮像信号を光源２２２および撮像光学系のシャッタに供給する。すなわち、静止画撮像信号に同期してシャッタが動作するとともに、光源２２２が照射光を照射し、撮像ユニット１０８により静止画像が撮像される。第１筐体１００のメモリ１１２は、シャッタボタン１０２が押下されたときに、撮像ユニット１０８により撮像された静止画を記憶する。
【００１５】
第１筐体１００の距離検出部１２０は、照射面２２６から被写体までの照射距離を検出する。例えば、距離検出部１２０は、照射面２２６と同じ高さ（被写体からの距離が照射面２２６と同じ位置）に設けた赤外線発光部（非図示）から被写体に赤外線を照射し赤外線受光部（非図示）に反射波が戻るまでの時間を取得することにより、照射面２２６から被写体までの照射距離を検出する。なお、距離検出部１２０は、赤外線に代えて超音波やレーダ等を用いて照射面２２６から被写体までの照射距離を検出してもよい。また、距離検出部１２０は、これらに代えて、レンズ保持部１０６に保持されるレンズ群で捉えた画像を利用して照射面２２６から被写体までの照射距離を検出してもよい（位相差検出方式、コントラスト検出方式、パッシブ外光方式など）。
【００１６】
第１筐体１００の反射板制御部１２２は、距離検出部１２０により検出された照射距離に基づいて、反射板２４０を駆動させる信号（以下、「反射板駆動信号」という。）を反射板可動部２３０（後述するモータ２３４）に出力することによって、複数の反射板２４０の駆動を制御する。具体的には、距離検出部１２０から検出された照射距離が長いほど、各反射板２４０をより内側に駆動させる。例えば、反射板制御部１２２は２つの閾値を参照し、照射距離が第１の閾値未満であれば各反射板２４０を初期位置（例えば、反射板２４０の向きが光軸方向と平行となる位置）とし、照射距離が第１の閾値以上第２の閾値未満であれば各反射板２４０を初期位置から１０度内側に駆動させ、照射距離が第２の閾値以上であれば各反射板２４０を初期位置から２０度内側に駆動させる。なお、設ける閾値の数は、１または３以上であってもよい。また、反射板２４０は他のピッチで駆動させてもよいし、２度、４度、１０度、３５度・・・というように特定のピッチで駆動させなくてもよい。
【００１７】
第２筐体２００の反射板可動部２３０は、図２から図４に示すように、照射部２３０の外周に設けられている。反射板可動部２３０は、内側上部支持体（非図示）、内側下部支持体（非図示）、外側支持体（非図示）、モータ２３４、第１ギア２３６、回転リング２３２、第２ギア２３７、第３ギア２３８を備える。内側上部支持体および内側下部支持体はともに、環状であって、内側の面が照射部２３０の外側の面と接する（内側上部支持体は、内側下部支持体の上に位置する）。外側支持体は、環状であって、内側の面が内側上部支持体および内側下部支持体の外側の面と接する。
【００１８】
モータ２３４は軸２３４ａの方向が、水平方向かつ中心方向（光軸を法線とする平面上の直線であって当該モータの配置された点および光軸と当該平面との交点を通る直線の方向）となるように外側支持体により支持されている。第１ギア２３６は、モータ２３４の軸２３４ａに固定された、かさ歯車である。
【００１９】
回転リング２３２は、複数のベアリング２３１を内蔵する。回転リング２３２は、内側上部支持体および内側下部支持体によって上下方向を支持されるとともに、内側下部支持体および第１ギア２３６によって水平方向を支持されている。回転リング２３２は、周縁上部に第１ギア２３６とかみ合う歯車を設けるとともに、周縁下部に第２ギア２３７とかみ合う歯車を設けており、第１ギア２３６の回転により滑らかに回転する。第２ギア２３７は、かさ歯車であって、軸２３７ａの方向は、水平方向かつ中心方向（光軸を法線とする平面上の直線であって第２ギア２３７の配置された点および光軸と当該平面との交点を通る直線の方向）である。第３ギア２３８は第２ギア２３７とかみ合う、かさ歯車であって、軸２３８ａの方向は、水平方向かつ接線方向（光軸を法線とする平面上の直線であって第３ギア２３８の配置された点および光軸と当該平面との交点を通る直線に垂直な直線の方向）である。
【００２０】
また、第３ギア２３８は、各反射板２４０の端部（図３に示すように、反射板２４０が備える軸２４０ａであってもよい）を支持する。なお、回転リング２３２の数は１個であり、第２ギア２３７および第３ギア２３８の数は反射板２４０の数と同じである。また、モータ２３４および第１ギア２３６の数は１個以上であればよい。
【００２１】
次に、モータ２３４に反射板駆動信号が供給されてから反射板２４０が駆動するまでの動作を説明する。モータ２３４は、反射板駆動信号に基づいて駆動する。この反射板駆動信号は、例えば、パルス信号により構成される。モータ２３４がＡ方向に回転すると、第１ギア２３６もＡ方向に回転する。第１ギア２３６がＡ方向に回転すると、回転リング２３２は第１ギア２３６の回転が伝播されてＣ方向に回転する。回転リング２３２がＣ方向に回転すると、第２ギア２３７は回転リング２３２の回転が伝播されてＥ方向に回転する。第２ギア２３７がＥ方向に回転すると、第３ギア２３８は第２ギア２３７の回転が伝播されてＧ方向に回転する。第３ギア２３８がＧ方向に回転すると、反射板２４０はＩ方向（内側）に駆動する。
【００２２】
一方、モータ２３４がＢ方向に回転すると、第１ギア２３６もＢ方向に回転する。第１ギア２３６がＢ方向に回転すると、回転リング２３２は第１ギア２３６の回転が伝播されてＤ方向に回転する。回転リング２３２がＤ方向に回転すると、第２ギア２３７は回転リング２３２の回転が伝播されてＦ方向に回転する。第２ギア２３７がＦ方向に回転すると、第３ギア２３８は第２ギア２３７の回転が伝播されてＨ方向に回転する。第３ギア２３８がＨ方向に回転すると、反射板２４０はＪ方向（外側）に駆動する。
【００２３】
第２筐体２００の反射板２４０は、照射面２２６から照射される静止画撮像用の高輝度の照射光を反射する反射面を有する。反射面は、例えば、アルミニウム蒸着などを施し高反射率となっている。なお、反射面は平面であってもよいし、湾曲していてもよい。なお、反射板２４０は、内側に駆動したときに隣接する他の反射板２４０と衝突しないように、下部（被写体側）が上部（反射板可動部２３０側）よりも細い形状であることが好ましい。
【００２４】
各反射板２４０は、上述の通り、端部（図３に示す反射板２４０が備える軸２４０ａ）が反射板可動部２３０の各第３ギア２３８に支持され、それぞれの反射面が内側を向くよう環状に配設されている。このため、各第３ギア２３８の回転に連れて、各反射板２４０は、破線に示すように、端部を支点として内側（反射面側）に駆動（回転）する。なお、各反射板２４０は、レンズ系の視野に反射板２４０の一部が映り込まない範囲で可動する構成とすることが好ましい。また、反射板２４０は駆動に適した軽量の素材で加工されていることが好ましい。
【００２５】
第２筐体２００の補強部２１０は、反射板可動部２３０の下部から複数の反射板２４０を取り囲むように光軸方向に延在する。補強部２１０は、反射板２４０より強度の高い素材で加工されており、操作者の接触または脱落などによる破損から反射板２４０を保護する。また、補強部２１０の内壁は、例えば、アルミニウム蒸着などを施し高反射率となっていることが好ましい。
【００２６】
以上、上記実施形態によれば、マイクロスコープ１０は、レンズ系よりも被写体側に光源２２２および照射面２２６を環状に設けるとともに、内側に動く反射板２４０を照射面２２６の外側に設けたので、光源２２２から照射された照射光を無駄なく効率的に被写体に照射することができる。このため、例えば、照射面２２６と被写体との距離が長い場合でも、反射板２４０の角度をずらすことで、光源２２２の出力を増加させることなく被写体に照射される反射光の光量を適量に増やすことができる。したがって、被写体との距離にからわらず、低消費電力で、説明用、保存用、教育用、学会への報告用の資料などとして好適である、ブレおよびノイズが少ない無影の静止画を提供することができる。
【００２７】
さらに、上記実施形態によれば、マイクロスコープ１０は、距離検出部１２０により測定される照射距離に応じて、反射板制御部１２２により自動的に反射板２４０を駆動させることができるので、ユーザの作業を中断させることなく、ブレおよびノイズが少ない無影の静止画を提供することができる。
【００２８】
さらに、上記実施形態によれば、マイクロスコープ１０は、補強部２１０を備えたので、操作者の接触または脱落などによる破損から反射板２４０を保護することができる。また、補強部２１０の内壁を高反射率とすることにより、光源からの照射光を被写体側に反射することができる。例えば、補強部２１０は、反射板２４０の下部が上部よりも細い形状である場合に、反射板２４０が初期位置のときに生じる各反射板２４０の下部にできた隙間に照射される照射光を被写体側に反射することができる。
【００２９】
図５は、他の一例である反射板可動部３３０等を側方から見た断面図である。図６は、図５に示す反射板可動部３３０等を上方から見た断面図である。反射板可動部３３０は、内側上部支持体３５０、内側下部支持体３５２、外側支持体３５４、モータ３３４、第１ギア３３６、回転リング３３２を備える。内側上部支持体３５０および内側下部支持体３５２はともに、環状であって、内側の面が照射部２３０の外側の面と接する（内側上部支持体３５０は、内側下部支持体３５２の上に位置する）。外側支持体３５４は、環状であって、内側の面が内側上部支持体３５０および内側下部支持体３５２の外側の面と接する。
【００３０】
モータ３３４は軸３３４ａの方向が、光軸と平行な方向となるように外側支持体３５４により支持されている。第１ギア３３６は、モータ３３４の軸３３４ａに固定された平歯車である。
【００３１】
回転リング３３２は、複数のベアリング３３１を内蔵する。回転リング３３２は、内側上部支持体３５０および内側下部支持体３５２によって上下方向を支持されるとともに、内側下部支持体３５２および第１ギア３３６によって水平方向を支持されている。回転リング３３２は、周縁側面部に第１ギア３３６とかみ合う歯車を備えており、第１ギア３３６の回転により滑らかに回転する。
【００３２】
また、回転リング３３２は、中心から距離Ｘ（回転リング３３２の内径より長く外径より短い距離）にある位置Ｅから、中心から距離Ｙ（距離Ｘより長く外径より短い距離）にあって、回転リング３３２の中心および位置Ｅを結ぶ直線と回転リング３３２の中心および当該位置を結ぶ直線との角度がθである位置Ｆまで、下端に開口した溝部３３２ａを有する。
【００３３】
内側下部支持体３５２は、切込部３５２ａおよび支点軸３５２ｂを有する。切込部３５２ａは内壁に一対の軸穴を有する。一対の軸穴の方向は、水平方向かつ接線方向（光軸を法線とする平面上の直線であって両軸穴を結ぶ中心の点（回転リング３３２の周縁から距離Ｚ）および光軸と当該平面との交点を通る直線に垂直な直線の方向）である。支点軸３５２ｂは、両端を切込部３５２ａが有する一対の軸穴で固定され、切込部３５２ａを貫いている。なお、距離Ｘと距離Ｚの和は、回転リング３３２の外径と同一であってもよいし、外径よりも短くてもよい。
【００３４】
反射板３４０は、端部（図６に示すように、反射板３４０が備える軸３４０ａの球状部３４０ｂであってもよい）が回転リング３３２の有する溝部３３２ａの一の位置に支持されるとともに、中部（図５に示すように、軸３４０ａに設けられた支点部３４０ｃ）が内側下部支持体３５２の支点軸３５２ｂに貫通され支持されている。したがって、回転リング３３２が回転した場合、反射板３４０の中部（図５に示す例においては支点部３４０ｃ）については、回転リング３３２の中心から距離（距離Ｚ）は変化しないが、反射板３４０の端部（図６に示す例においては球状部３４０ｂ）については、回転リング３３２の中心から距離が変化する（距離Ｘから距離Ｙまでの距離）。
【００３５】
なお、回転リング３３２の数は１個であり、回転リング３３２の有する溝部３３２ａ、内側下部支持体３５２の有する切込部３５２ａおよび支点軸３５２ｂの数は反射板３４０の数と同じである。また、モータ３３４および第１ギア３３６の数は１個以上であればよい。
【００３６】
次に、モータ３３４に反射板駆動信号が供給されてから反射板３４０が駆動するまでの動作を説明する。モータ３３４は、反射板駆動信号に基づいて駆動する。モータ３３４がＡ方向に回転すると、第１ギア３３６もＡ方向に回転する。第１ギア３３６がＡ方向に回転すると、回転リング３３２は第１ギア３３６の回転が伝播されてＣ方向に回転する。回転リング３３２がＣ方向に回転すると、球状部３４０ｂを支持する溝部３３２ａの位置が位置Ｅから位置Ｆの方向に移動する。球状部３４０ｂを支持する溝部３３２ａの位置が位置Ｅから位置Ｆの方向に移動すると、反射板３４０はＧ方向（内側）に駆動する。
【００３７】
一方、モータ３３４がＢ方向に回転すると、第１ギア３３６もＢ方向に回転する。第１ギア３３６がＢ方向に回転すると、回転リング３３２は第１ギア３３６の回転が伝播されてＤ方向に回転する。回転リング３３２がＤ方向に回転すると、球状部３４０ｂを支持する溝部３３２ａの位置が位置Ｆから位置Ｅの方向に移動する。球状部３４０ｂを支持する溝部３３２ａの位置が位置Ｆから位置Ｅの方向に移動すると、反射板３４０はＨ方向（外側）に駆動する。
【００３８】
図５および図６に示す反射板可動部３３０によれば、ギアの数を削減しつつ、図２から図４に示す反射板可動部２３０と同様の効果を得ることができる。
【００３９】
なお、マイクロスコープ１０は距離検出部１２０を備えなくてもよい。マイクロスコープ１０が距離検出部１２０を備えない場合には、マイクロスコープ１０は、モータ２３４を駆動させる指示をユーザから受け付ける図示しないモータ駆動ボタンを備える。この場合、反射板制御部１２２は、モータ駆動ボタンが押下されたときに反射板駆動信号を反射板可動部２３０のモータ２３４に出力する。
【００４０】
また、マイクロスコープ１０は補強部２１０を備えなくてもよい。マイクロスコープ１０が補強部２１０を備えない場合には、反射板２４０の強度を高くすることが好ましい。また、各反射板２４０を間に隙間が余り生じないように配設することが好ましい。
【００４１】
また、上記実施形態において、距離検出部１２０および反射板制御部１２２はともに第１筐体１００内に実装された機能であったが、距離検出部１２０および反射板制御部１２２はともに第２筐体２００内で実装されていてもよいし、一方が第１筐体１００内で実装され、他方が第２筐体２００内で実装されていてもよい。
【００４２】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００４３】
【図１】本実施形態によるマイクロスコープの概観の例を示す模式図である。
【図２】本実施形態によるマイクロスコープの構成の一例を示す側方断面図である。
【図３】図２に示す反射板可動部等の下方斜視図である。
【図４】図２に示す反射板可動部等を上方から見た断面図である。
【図５】他の一例である反射板可動部等を側方から見た断面図である。
【図６】図５に示す反射板可動部等を上方から見た断面図である。
【符号の説明】
【００４４】
１０  マイクロスコープ
１００  第１筐体
１０６  レンズ保持部
１２０  距離検出部
２００  第２筐体
２１０  補強部
２２０  照射部
２２２  光源
２２４  連結部
２２６  照射面
２３０  反射板可動部
２４０  反射板
３３０  反射板可動部
３４０  反射板
【図１】
2008268546.tif 000003
【図２】
2008268546.tif 000004
【図３】
2008268546.tif 000005
【図４】
2008268546.tif 000006
【図５】
2008268546.tif 000007
【図６】
2008268546.tif 000008